【事件の表示】
　特願２００６−２１０７０３「蛍光発光装置」拒絶査定不服審判事件〔平成２０年　２月２１日出願公開、特開２００８−　４１７３９〕について、次のとおり審決する。
【結　論】
　本件審判の請求は、成り立たない。
【理　由】
１　手続の経緯
　平成１８年　８月　２日　特許出願
　平成１９年　５月　９日　手続補正書
　平成２４年　５月　７日　拒絶理由通知（同年５月９日発送）
　平成２４年　７月　６日　意見書・手続補正書
　平成２４年１２月２６日　拒絶査定（同年１２月２８日送達）
　平成２５年　３月２７日　本件審判請求・手続補正書
　平成２５年　７月　８日　審尋（同年７月１０日発送）
　平成２５年　９月　４日　回答書
　
２　本願発明
　本願の請求項１〜３に係る発明は、平成２５年３月２７日付け手続補正により補正された特許請求の範囲の請求項１〜３に記載された事項によって特定されるとおりのものであるところ、請求項１には以下のとおり記載されている。
「少なくとも、蛍光材料と衝突することで蛍光を励起する励起光を発生させる励起光発生源と、
　同励起光発生源の前面に配置された第１の光学薄膜層と、
　同第１の光学薄膜層の前面に配置される蛍光材料を含有する蛍光層と、
　同蛍光層の前面に配置された第２の光学薄膜層とから構成するようにした蛍光発光装置において、
　前記第１の光学薄膜層を励起光を透過させるとともに蛍光を反射し、前記第２の光学薄膜層を励起光を反射するとともに蛍光を透過させる設定とし、かつ前記第１の光学薄膜層及び前記第２の光学薄膜層の光に対する反射率と透過率の関係を光の波長が４００〜８００ｎｍの範囲内で互いに逆の特性となるようにそれぞれ設定し、
　前記励起光発生源から発生される励起光を紫外光とし、前記蛍光層を青色の蛍光が発光される最も同励起光発生源側に配置される第１の蛍光層と、緑色の蛍光が発光される同第１の蛍光層の外側に配置される第２の蛍光層と、赤色の蛍光が発光される同第２の蛍光層の外側に配置される第３の蛍光層とから構成し、前記第１の蛍光層と前記第２の蛍光層の間には紫外光及び青色の蛍光を透過させるとともに緑色の蛍光を反射する第３の光学薄膜層と、前記同第２の蛍光層と前記第３の蛍光層の間には紫外光、青色の蛍光及び緑色の蛍光を透過させるとともに赤色の蛍光を反射する第４の光学薄膜層を配置し、前記第２の光学薄膜層を青色、緑色及び赤色のすべての蛍光を透過させるようにしたことを特徴とする蛍光発光装置。」（以下「本願発明」という。）
　
３　引用する刊行物と引用発明
（１）刊行物
　原査定の拒絶の理由に引用され、本願の出願前に日本国内において頒布された特開２００５−２９４２８８号公報（以下「刊行物」という。）には、図面とともに以下の記載がある（当審注：下線は、引用発明の認定と特に関係する箇所に、当審が付したものである。）。
　
ア　「【特許請求の範囲】
【請求項１】
　
励起光を発生させる半導体発光素子と、
　
この半導体発光素子が発光する上記励起光によって励起され、この励起光の波長とは異なる波長の蛍光を発生させる蛍光体と、
　
上記半導体発光素子と上記蛍光体との間に配置され、上記励起光に対する反射率が上記蛍光に対する反射率よりも低い第１光学フィルタと、
　
反射凹面を持つ反射体と、を備え、
　
上記反射体の反射凹面と上記第１光学フィルタとの間及び／又は上記第１光学フィルタの面内に、この第１光学フィルタから後側へ透過し上記反射体で反射された蛍光を通過させるための開口部を設けるようにした蛍光体型発光装置。
【請求項２】
　…
【請求項４】
　
上記半導体発光素子は励起光として近紫外光を発光し、上記蛍光体は近紫外光の励起により可視光を発光する
【請求項５】
　
上記蛍光体の前側に、上記励起光に対する反射率が上記蛍光に対する反射率よりも高い第２光学フィルタを配置した
　
イ　「【技術分野】
【０００１】
　本発明は蛍光体型発光装置及びそれを照明源とする内視鏡装置、特に半導体発光素子で発生した励起光を蛍光体に与え、演色性に優れた白色光等を出力するための構成に関するものである。」
　
ウ　「【００１７】
以下、図面を参照しながら本発明の実施形態について説明する。
図１には、実施例に係る蛍光型発光装置の概略構成が示されており、この図１（Ａ）の発光装置１０Ａでは、励起光としての近紫外光を発光する発光ダイオード（ＬＥＤ）１２と、励起光に対する反射率が蛍光に対する反射率よりも低い特性を持ち、近紫外光（ｒ）を透過し、白色（可視）光（Ｌ）を反射する第１光学フィルタ（波長選択フィルタ）１４ａと、３波長型の蛍光体１６ａとが光軸Ｏに沿って順次配設され、上記発光ダイオード１２と第１光学フィルタ１４を内包するように、内面全体が反射凹面となる反射体１８ａが設けられる。なお、上記第１光学フィルタ１４ａは蛍光体１６ａの表面に一体的に形成することができる。
…」
　
エ　「【００２６】
  図４乃至図７には、実施例の発光装置の他の構成例が示されており、これらの発光装置では、反射体を省略して説明する。…
…
【００３４】
図６及び図７には、実施例において異なる波長の光を個別に発生させる複数の蛍光体を設けた発光装置の構成例が示されている。図６の発光装置１０Ｆでは、図示されるように、赤色光ＬＲを発光する蛍光体１６Ｒ、緑色光ＬＧを発光する蛍光体１６Ｇ、青色光ＬＢを発光する蛍光体１６Ｂと、励起光ｒと赤色光ＬＲを透過させ、緑色光ＬＧ及び青色光ＬＢを反射させる第１光学フィルタ１４ｆと、反射ミラー２４とが設けられ、励起光（近紫外光）ｒを出力する発光ダイオード１２が反射ミラー２４へ向けて後向きに配置される。なお、上記第１光学フィルタ１４ｆは、多層干渉膜の構成を適宜変えることにより上記の透過・反射特性を得ることができる。
【００３５】
この発光装置１０Ｆによれば、発光ダイオード１２の励起光ｒが蛍光体１６Ｒに照射されると共に、反射ミラー２４で反射された後、第１光学フィルタ１４ｆを介して蛍光体１６Ｇ，１６Ｂに供給されることにより、蛍光体１６Ｒから赤色光ＬＲ、蛍光体１６Ｇから緑色光ＬＧ、蛍光体１６Ｂから青色光ＬＢが発光し、この結果、白色光が出力される。そして、このときの各蛍光体１６Ｒ，１６Ｇ，１６Ｂの後向きの光は前側へ指向する。
【００３６】
図７の発光装置１０Ｇでは、赤色光ＬＲ、緑色光ＬＧ、青色光ＬＢのそれぞれを発光する蛍光体１６Ｒ，１６Ｇ，１６Ｂと、励起光ｒを透過させ、赤色光ＬＲを反射させる第１光学フィルタ１４gaと、励起光ｒ及び赤色光ＬＲを透過させ、緑色光ＬＧを反射させる第１光学フィルタ１４gbと、励起光ｒ、赤色光ＬＲ及び緑色光ＬＧを透過させ、青色光ＬＢを反射させる第１光学フィルタ１４gcとが設けられ、励起光（近紫外光）ｒを出力する発光ダイオード１２が上記第１光学フィルタ１４gaの後側に配置される。なお、上記第１光学フィルタ１４ga，１４gb，１４gcは、多層干渉膜の構成を適宜変えることにより上記の透過・反射特性を得ることができる。
【００３７】
このような構成によっても、各蛍光体１６Ｒ，１６Ｇ，１６Ｂで発光する赤色光ＬＲ、緑色光ＬＧ、青色光ＬＢにおいて、後向きの光を前側へ指向させることにより、高い照度の白色光を得ることができる。なお、上記発光装置１０Ｆ（及び発光装置１０Ｇ）の発光ダイオード１２は、蛍光体１６Ｒ，１６Ｇ，１６Ｂのそれぞれに対して配置してもよい。」
　
オ　「【００４４】
図９には、図１の構成に加えて励起光反射用の第２光学フィルタを設けた実施例の構成が示されており、この図９（Ａ）の発光装置１０Ｉは、図１と同様に、発光ダイオード１２、第１光学フィルタ１４ａ、蛍光体１６ａ及び反射体１８ａを有し、上記蛍光体１６ａの前側に、励起光に対する反射率が蛍光に対する反射率よりも高い特性を持ち、白色光（Ｌ１）を透過し近紫外光を反射（ｒ→ｒｂ）する第２光学フィルタ１７ａが配置される。この第２光学フィルタ１７ａは、例えば平行平面透過基板（ガラス板等）に表２に示す多層膜構成からなる干渉膜（基板側を第１層として表記）が形成されたものである。このような第２光学フィルタ１７ａによれば、図１０のグラフに示される透過率特性が得られ、上記蛍光体１６ａから発光する白色（波長約４２０〜７００ｎｍで９５％以上）を透過し、かつ上記発光ダイオード１２から発せられる近紫外光域（波長約４１０ｎｍ以下で略１００％）を反射することができる。なお、この第２光学フィルタ１７ａは、かかる多層膜構成に限定されるものではなく、図１０のような透過率特性、即ち可視域光を透過し、励起光を反射するものであればよい。
…
【００４７】
このような図９（Ａ），（Ｂ）の発光装置１０Ｉによれば、蛍光体１６ａを透過した近紫外光が励起光反射用の第２光学フィルタ１７ａで反射され蛍光体１６ａへ戻り、この反射近紫外光ｒｂによっても蛍光が発生する。従って、後側へ向かう光Ｌ２を第１光学フィルタ１４ａで前側へ反射させるだけでなく、第２光学フィルタ１７ａにより反射させた近紫外光ｒｂで蛍光体１６ａを再び励起することにより、白色光の更なる増量を図ることが可能となる。」
　
カ　「【産業上の利用可能性】
【００５１】
本発明は、室内灯、外灯、車内灯、前照灯、棚下灯（ショーケース照明）、懐中電灯等の一般的な照明装置、内視鏡、顕微鏡等の照明装置、或いはインジケータ、電光表示板、信号灯、サインボード、液晶表示装置等の各種表示装置等に適用することができる。」
　
キ　図７は、以下のとおりである。
（２）引用発明
ア　上記「（１）ア」の記載より、刊行物には、
「励起光を発生させる半導体発光素子と、
　この半導体発光素子が発光する上記励起光によって励起され、この励起光の波長とは異なる波長の蛍光を発生させる蛍光体と、
　上記半導体発光素子と上記蛍光体との間に配置され、上記励起光に対する反射率が上記蛍光に対する反射率よりも低い第１光学フィルタと、
　反射凹面を持つ反射体と、を備え、
　上記反射体の反射凹面と上記第１光学フィルタとの間及び／又は上記第１光学フィルタの面内に、この第１光学フィルタから後側へ透過し上記反射体で反射された蛍光を通過させるための開口部を設け、
　上記半導体発光素子は励起光として近紫外光を発光し、上記蛍光体は近紫外光の励起により可視光を発光し、
　上記蛍光体の前側に、上記励起光に対する反射率が上記蛍光に対する反射率よりも高い第２光学フィルタを配置した蛍光体型発光装置。」
が記載されている。
　
イ　また、上記「（１）エ」の【００３６】は、異なる波長の光を個別に発生させる複数の蛍光体を設けた発光装置の構成例を示す図７について説明する記載であるところ、該記載を踏まえて図７を見ると、第１光学フィルタと蛍光体は、「励起光（近紫外光）ｒを出力する発光ダイオード１２」側から順に、「励起光ｒを透過させ、赤色光ＬＲを反射させる第１光学フィルタ１４ga」、「赤色光ＬＲを発光する蛍光体１６Ｒ」、「励起光ｒ及び赤色光ＬＲを透過させ、緑色光ＬＧを反射させる第１光学フィルタ１４gb」、「緑色光ＬＧを発光する蛍光体１６Ｇ」、「励起光ｒ、赤色光ＬＲ及び緑色光ＬＧを透過させ、青色光ＬＢを反射させる第１光学フィルタ１４gc」、「青色光ＬＢを発光する蛍光体１６Ｂ」が配置されていることが理解できる。ここで、「発光ダイオード１２」は、上記アで認定した「半導体発光素子」である。
　
ウ　してみると、刊行物には、以下の発明が記載されている。
「励起光を発生させる半導体発光素子と、
　この半導体発光素子が発光する上記励起光によって励起され、この励起光の波長とは異なる波長の蛍光を発生させる蛍光体と、
　上記半導体発光素子と上記蛍光体との間に配置され、上記励起光に対する反射率が上記蛍光に対する反射率よりも低い第１光学フィルタと、
　反射凹面を持つ反射体と、を備え、
　上記反射体の反射凹面と上記第１光学フィルタとの間及び／又は上記第１光学フィルタの面内に、この第１光学フィルタから後側へ透過し上記反射体で反射された蛍光を通過させるための開口部を設け、
　上記半導体発光素子は励起光として近紫外光を発光し、上記蛍光体は近紫外光の励起により可視光を発光し、
　上記蛍光体の前側に、上記励起光に対する反射率が上記蛍光に対する反射率よりも高い第２光学フィルタを配置した蛍光体発光装置であって、
　上記第１光学フィルタと蛍光体は、前記半導体発光素子側から順に、
　励起光ｒを透過させ、赤色光ＬＲを反射させる第１光学フィルタ１４ga、
　赤色光ＬＲを発光する蛍光体１６Ｒ、
　励起光ｒ及び赤色光ＬＲを透過させ、緑色光ＬＧを反射させる第１光学フィルタ１４gb、
　緑色光ＬＧを発光する蛍光体１６Ｇ、
　励起光ｒ、赤色光ＬＲ及び緑色光ＬＧを透過させ、青色光ＬＢを反射させる第１光学フィルタ１４gc、
　青色光ＬＢを発光する蛍光体１６Ｂ、
が配置されている、
　蛍光体型発光装置。」（以下「引用発明」という。）
　
４　対比
　本願発明と引用発明を対比する。
ア　本願発明の「少なくとも、蛍光材料と衝突することで蛍光を励起する励起光を発生させる励起光発生源」と、引用発明の「励起光を発生させる半導体発光素子」を対比する。
　引用発明は、「半導体発光素子が発光する上記励起光によって励起され、この励起光の波長とは異なる波長の蛍光を発生させる蛍光体」を備えることを考慮すれば、半導体発光素子が発生する「励起光」は、蛍光体を励起するものである。そうすると、両者は相当関係にある。
　
イ　本願発明の「同励起光発生源の前面に配置された第１の光学薄膜層」と、引用発明の「上記半導体発光素子と上記蛍光体との間に配置され、上記励起光に対する反射率が上記蛍光に対する反射率よりも低い第１光学フィルタ」であって、「前記半導体発光素子側から順に」配置される「励起光ｒを透過させ、赤色光ＬＲを反射させる第１光学フィルタ１４ga」を対比する。
　引用発明の「半導体発光素子」が本願発明の「励起光発生源」に相当し、引用発明の「第１光学フィルタ１４ga」が本願発明の「第１の光学薄膜層」に相当する。してみると、両者は相当関係にある。
　
ウ　本願発明の「同第１の光学薄膜層の前面に配置される蛍光材料を含有する蛍光層」と、引用発明の「上記半導体発光素子と上記蛍光体との間に配置され、上記励起光に対する反射率が上記蛍光に対する反射率よりも低い第１光学フィルタ」との特定事項における「蛍光体」を対比する。
　引用発明において、「第１光学フィルタ」の半導体発光素子側とは反対の側に配置されていることは、本願発明において、「同第１の光学薄膜層の前面に配置され」ることに相当する。また、本願発明の「蛍光材料を含有する蛍光層」と引用発明の「蛍光体」は、「蛍光体」の点で一致する。してみると、両者は、「同第１の光学薄膜層の前面に配置される蛍光材料を含有する蛍光体」の点で一致する。
　
エ　本願発明の「同蛍光層の前面に配置された第２の光学薄膜層」と、引用発明の「上記蛍光体の前側に、上記励起光に対する反射率が上記蛍光に対する反射率よりも高い第２光学フィルタを配置した蛍光体発光装置」における「第２光学フィルタ」を対比する。
　引用発明の「第２光学フィルタ」が本願発明の「第２の光学薄膜層」に相当する。してみると、両者は、「同蛍光体の前面に配置された第２の光学薄膜層」の点で一致する。
　
オ　本願発明の「蛍光発光装置」と、引用発明の「蛍光体型発光装置」を対比すると、両者は相当関係にある。
　
カ　本願発明の「前記第１の光学薄膜層を励起光を透過させるとともに蛍光を反射」す「る設定と」することと、引用発明の、「第１光学フィルタ」が「上記励起光に対する反射率が上記蛍光に対する反射率よりも低い」ことを対比すると、両者は相当関係にある。
　
キ　本願発明の「前記第２の光学薄膜層を励起光を反射するとともに蛍光を透過させる設定と」することと、引用発明の「第２光学フィルタ」が「上記励起光に対する反射率が上記蛍光に対する反射率よりも高い」ことを対比すると、両者は相当関係にある。
　
ク　本願発明の「前記励起光発生源から発生される励起光を紫外光と」することと、引用発明の「上記半導体発光素子は励起光として近紫外光を発光」することを対比する。
　引用発明の「近紫外光」は、本願発明の「紫外光」に含まれるから、両者は、「前記励起光発生源から発生される励起光を近紫外光と」する点で一致する。
　
ケ　本願発明の「前記蛍光層を青色の蛍光が発光される最も同励起光発生源側に配置される第１の蛍光層と、緑色の蛍光が発光される同第１の蛍光層の外側に配置される第２の蛍光層と、赤色の蛍光が発光される同第２の蛍光層の外側に配置される第３の蛍光層とから構成し、前記第１の蛍光層と前記第２の蛍光層の間には紫外光及び青色の蛍光を透過させるとともに緑色の蛍光を反射する第３の光学薄膜層と、前記同第２の蛍光層と前記第３の蛍光層の間には紫外光、青色の蛍光及び緑色の蛍光を透過させるとともに赤色の蛍光を反射する第４の光学薄膜層を配置」することと、引用発明の「上記第１光学フィルタと蛍光体は、前記半導体発光素子側から順に、励起光ｒを透過させ、赤色光ＬＲを反射させる第１光学フィルタ１４ga、赤色光ＬＲを発光する蛍光体１６Ｒ、励起光ｒ及び赤色光ＬＲを透過させ、緑色光ＬＧを反射させる第１光学フィルタ１４gb、緑色光ＬＧを発光する蛍光体１６Ｇ、励起光ｒ、赤色光ＬＲ及び緑色光ＬＧを透過させ、青色光ＬＢを反射させる第１光学フィルタ１４gc、青色光ＬＢを発光する蛍光体１６Ｂ、が配置されている」ことを対比する。
　本願発明の「前記蛍光層を青色の蛍光が発光される最も同励起光発生源側に配置される第１の蛍光層」、「緑色の蛍光が発光される同第１の蛍光層の外側に配置される第２の蛍光層」、「赤色の蛍光が発光される同第２の蛍光層の外側に配置される第３の蛍光層」と、引用発明の半導体発光素子側から順に配置されている「赤色光ＬＲを発光する蛍光体１６Ｒ」、「緑色光ＬＧを発光する蛍光体１６Ｇ」、「青色光ＬＢを発光する蛍光体１６Ｂ」は、それぞれ、「最も同励起光発生源側に配置される第１の蛍光体」、「同第１の蛍光体の外側に配置される第２の蛍光体」、「同第２の蛍光体の外側に配置される第３の蛍光体」の点で一致する。
　また、本願発明の「紫外光及び青色の蛍光を透過させるとともに緑色の蛍光を反射する第３の光学薄膜層」、「紫外光、青色の蛍光及び緑色の蛍光を透過させるとともに赤色の蛍光を反射する第４の光学薄膜層」と、引用発明の「励起光ｒ及び赤色光ＬＲを透過させ、緑色光ＬＧを反射させる第１光学フィルタ１４gb」、「励起光ｒ、赤色光ＬＲ及び緑色光ＬＧを透過させ、青色光ＬＢを反射させる第１光学フィルタ１４gc」は、それぞれ、「励起光及び第１の蛍光体が発光する蛍光を透過させるとともに第２の蛍光体が発光する蛍光を反射する第３の光学薄膜層」、「励起光、第１の蛍光体が発光する蛍光及び第２の蛍光体が発光する蛍光を透過させるとともに第３の蛍光体が発光する蛍光を反射する第４の光学薄膜層」の点で一致する。
　してみると、両者は、「最も同励起光発生源側に配置される第１の蛍光体と、同第１の蛍光体の外側に配置される第２の蛍光体と、同第２の蛍光体の外側に配置される第３の蛍光体とから構成し、前記第１の蛍光体と前記第２の蛍光体の間には励起光及び第１の蛍光体が発光する蛍光を透過させるとともに第２の蛍光体が発光する蛍光を反射する第３の光学薄膜層と、前記同第２の蛍光体と前記第３の蛍光体の間には励起光、第１の蛍光体が発光する蛍光及び第２の蛍光体が発光する蛍光を透過させるとともに第３の蛍光体が発光する蛍光を反射する第４の光学薄膜層を配置」する点で一致する。
　
コ　本願発明の「前記第２の光学薄膜層を青色、緑色及び赤色のすべての蛍光を透過させるようにしたこと」と、引用発明の「第２光学フィルタ」が「上記蛍光体の前側に、上記励起光に対する反射率が上記蛍光に対する反射率よりも高い」ことを対比する。
　引用発明は、「蛍光体」として「赤色光ＬＲを発光する蛍光体１６Ｒ」、「緑色光ＬＧを発光する蛍光体１６Ｇ」、「青色光ＬＢを発光する蛍光体１６Ｂ」を含んでいることを考慮すると、両者は相当関係にある。
　
サ　以上のことから、本願発明と引用発明は、
「少なくとも、蛍光材料と衝突することで蛍光を励起する励起光を発生させる励起光発生源と、
　同励起光発生源の前面に配置された第１の光学薄膜層と、
　同第１の光学薄膜層の前面に配置される蛍光材料を含有する蛍光層と、
　同蛍光層の前面に配置された第２の光学薄膜層とから構成するようにした蛍光発光装置において、
　前記第１の光学薄膜層を励起光を透過させるとともに蛍光を反射し、前記第２の光学薄膜層を励起光を反射するとともに蛍光を透過させる設定とし、
　前記励起光発生源から発生される励起光を近紫外光とし、最も同励起光発生源側に配置される第１の蛍光体と、同第１の蛍光体の外側に配置される第２の蛍光体と、同第２の蛍光体の外側に配置される第３の蛍光体とから構成し、前記第１の蛍光体と前記第２の蛍光体の間には励起光及び第１の蛍光体が発光する蛍光を透過させるとともに第２の蛍光体が発光する蛍光を反射する第３の光学薄膜層と、前記同第２の蛍光体と前記第３の蛍光体の間には励起光、第１の蛍光体が発光する蛍光及び第２の蛍光体が発光する蛍光を透過させるとともに第３の蛍光体が発光する蛍光を反射する第４の光学薄膜層を配置し、前記第２の光学薄膜層を青色、緑色及び赤色のすべての蛍光を透過させるようにした蛍光発光装置。」
の点で一致し、以下の点で相違する。
　
相違点１：「蛍光体」が、本願発明では「蛍光層」であるのに対し、引用発明ではそのようなものであるのか否か明らかではない点。
相違点２：本願発明は「前記第１の光学薄膜層及び前記第２の光学薄膜層の光に対する反射率と透過率の関係を光の波長が４００〜８００ｎｍの範囲内で互いに逆の特性となるようにそれぞれ設定」しているのに対し、引用発明では、「第１光学フィルタ」が「上記励起光に対する反射率が上記蛍光に対する反射率よりも低」く、「第２光学フィルタ」が「上記励起光に対する反射率が上記蛍光に対する反射率よりも高い」ものの、本願発明のような特性となるようにそれぞれ設定しているものなのか否か明らかではない点。
相違点３：「第１の蛍光体が発光」し「第３の光学薄膜層」と「第４の光学薄膜層」が透過する蛍光、「第２の蛍光体が発光」し「第３の光学薄膜層」が反射するとともに「第４の光学薄膜層」が透過する蛍光、「第３の蛍光体が発光」し「第３の光学薄膜層」と「第４の光学薄膜層」が反射する蛍光が、本願発明では、それぞれ、「青色」、「緑色」、「赤色」であるのに対し、引用発明では、それぞれ、「赤色」、「緑色」、「青色」である点。
　
５　判断
　以下、上記相違点について検討する。
（１）相違点１について
　半導体発光素子が発生する励起光を蛍光体で波長変換する発光装置において、蛍光体を蛍光層とすることは、周知の技術事項である（例えば、原査定で引用された特開２００６−１８６０２２号公報【００２５】の記載を参照。）。そうすると、引用発明において、前記周知の技術事項を採用し、上記相違点１に係る本願発明の発明特定事項と為すことは、当業者が容易に想到し得たことと認められる。
　
（２）相違点２について
　引用発明の「第１光学フィルタ」は、「上記励起光に対する反射率が上記蛍光に対する反射率よりも低」くなっており、「第２光学フィルタ」は、「上記励起光に対する反射率が上記蛍光に対する反射率よりも高」くなっている。そうすると、「励起光に対する反射率」と「蛍光に対する反射率」の特性は、「第１光学フィルタ」と「第２光学フィルタ」とで互いに逆の特性となっているところ、例えば、原査定で引用された特開２００６−１８６０２２号公報に「【００４３】…、ダイクロイックミラー３１は、…４１０ｎｍ以下の光を透過し、４１０ｎｍ以上の光を反射する。ダイクロイックミラー３２は、４１０ｎｍ以下の光を反射し、４１０ｎｍ以上の光を透過する。」と記載されているように、反射率と透過率の関係を４１０ｎｍで互いに逆の特性となるように設定することも周知技術であることを考慮すると、引用発明において、上記周知技術を採用し、上記相違点２に係る本願発明の発明特定事項となすことは、当業者が容易に想到し得たことと認められる。
　
（３）相違点３について
　半導体発光素子が発生する励起光を、「青色」、「緑色」、「赤色」の各蛍光体で波長変換する発光装置において、半導体発光素子側から順に、「青色」、「緑色」、「赤色」の各蛍光体を配置することは、例えば原査定の拒絶の理由に引用された特開２００４−２２８４６４号公報に「【０００７】…、紫外線発光素子と、紫外線によって励起されて青色に発光する青色発光蛍光体を含有する青色発光層と、紫外線によって励起されて緑色に発光する緑色発光蛍光体を含有する緑色発光層と、紫外線によって励起されて赤色に発光する赤色発光蛍光体を含有する赤色発光層とを備え、前記紫外線発光素子側から青色発光層、緑色発光層、赤色発光層の順に積層されてなる…」と記載されるように、周知の技術手段である。そうすると、引用発明において、上記周知の技術手段を採用し、蛍光体を配置する順として、上記相違点３に係る本願発明の発明特定事項となすことに困難性は無い。
　そして、引用発明は、「第１光学フィルタ１４gb」が「励起光ｒ及び赤色光ＬＲを透過させ、緑色光ＬＧを反射させ」、「第１光学フィルタ１４gc」が「励起光ｒ、赤色光ＬＲ及び緑色光ＬＧを透過させ、青色光ＬＢを反射させ」るものであるところ、「第１光学フィルタ１４gb」、「第１光学フィルタ１４gc」の透過と反射の特性は、蛍光体の配置に応じて決定すべきものであるから、引用発明において、半導体発光素子側から順に、「青色」、「緑色」、「赤色」の各蛍光体を配置した際に、「第１光学フィルタ１４gb」は励起光及び青色の蛍光を透過させるとともに緑色の蛍光を反射するものと為し、「第１光学フィルタ１４gc」は励起光、青色の蛍光及び緑色の蛍光を透過させるとともに赤色の蛍光を反射するものと為し、上記相違点３に係る本願発明の発明特定事項と為すことに困難性は無い。
　
（４）効果について
　そして、本願発明が奏する作用効果は、引用発明と周知の技術事項に基づいて当業者が容易に予測しうる程度のものである。　
　
（５）まとめ
　したがって、本願発明は、引用発明と周知の技術事項に基づいて、当業者が容易に発明をすることができたものである。　
　
６　むすび　
　以上のとおり、本願発明は、引用発明と周知の技術事項に基づいて、当業者が容易に発明をすることができたものであるから、特許法第２９条第２項の規定により特許を受けることができない。　
　よって、結論のとおり審決する。